(57)【要約】本発明は、短距離無線技術を用いてＰ２Ｐで無線携帯端末にコンテンツを配信する技術に関する。本発明は、無線端末が、通信可能な無線端末を検出し、コンテンツを受信し、このコンテンツに係る制御情報を受信して、この制御情報に応じた制御を行う。このように、本発明は、無線端末間で通信を行う際に、コンテンツ中の制御情報に基づいた通信を行うことことにより、コンテンツ提供側の意図を反映した通信を可能とするコンテンツ配信方法、無線端末、コンテンツ配信プログラム、コンテンツ配信システムを提供する。
2004066178.tif 000002
【特許請求の範囲】
【請求項１】
無線端末間でのコンテンツ配信方法であって、
通信可能な無線端末を検出するステップと、
コンテンツを受信するステップと、
前記コンテンツに係る制御情報を受信するステップと、
前記制御情報に応じた制御を行うステップと
を無線端末が実行するコンテンツ配信方法。
【請求項２】
前記コンテンツの視聴結果を記録するステップを更に備え、
前記制御情報が、前記コンテンツの回収情報である場合、
前記制御情報に応じた制御を行うステップにおいて、前記前記視聴結果を前記回収情報に追加して他の無線端末又は所定の回収用端末に送信する請求項１に記載のコンテンツ配信方法。
【請求項３】
前記視聴結果を前記回収情報に追加した際に、この視聴結果の数が所定数未満であれば、前記回収情報を他の無線端末へ送信し、この視聴結果の数が所定数であれば、前記回収情報を所定の回収用端末に送信する請求項２に記載のコンテンツ配信方法。
【請求項４】
前記回収情報を前記回収用端末に送信した場合に、前記回収用端末からインセンティブ情報を受信する請求項３に記載のコンテンツ配信方法。
【請求項５】
前記制御情報が、通信可能条件の場合に、
前記制御情報に応じた制御を行うステップにおいて、前記受信時に通信可能条件を満たしていない場合、前記コンテンツ及び／又は識別情報を削除する請求項１に記載のコンテンツ配信方法。
【請求項６】
前記通信可能条件が、受信場所、受信時間、伝搬した回数である請求項５に記載のコンテンツ配信方法。
【請求項７】
ユーザからコンテンツの選択情報を受け付けるステップを更に有し、
前記制御情報に応じて制御を行うステップにおいて、前記コンテンツが前記選択情報に適合している場合にのみ、前記コンテンツを利用可能とする請求項１に記載のコンテンツ配信方法。
【請求項８】
前記選択情報が、コンテンツの数或はコンテンツの種別である請求項７に記載のコンテンツ配信方法。
【請求項９】
前記制御情報が、削除すべきコンテンツを示す削除情報である場合に、
前記制御情報に応じて制御を行うステップにおいて、前記削除情報に示されたコンテンツを削除し、該削除情報を他の無線端末に送信する請求項１に記載のコンテンツ配信方法。
【請求項１０】
通信可能な無線端末を検出する検出部と、
コンテンツ及び該コンテンツに係る制御情報を受信する受信部と、
前記制御情報に応じた制御を行う制御部と、
前記制御部の制御により前記コンテンツ及び制御情報を送信する送信部と、
を備えた無線端末。
【請求項１１】
前記コンテンツの視聴結果を記録する記憶部を備え、
前記制御情報が、前記コンテンツの回収情報である場合、
前記制御部が、前記記憶部に記憶されている視聴結果を前記回収情報に追加して他の無線端末又は所定の回収用端末に送信する請求項１０に記載の無線端末。
【請求項１２】
前記制御部が、前記視聴結果を前記回収情報に追加した際に、この視聴結果の数が所定数未満であれば、前記回収情報を他の無線端末へ送信し、この視聴結果の数が所定数であれば、前記回収情報を所定の回収用端末に送信する請求項１１に記載の無線端末。
【請求項１３】
前記回収情報を前記回収用端末に送信した場合に、前記回収用端末からインセンティブ情報を前記受信部で受信する請求項１２に記載の無線端末。
【請求項１４】
前記制御情報が通信可能条件であり、前記受信時に前記通信可能条件を満たしていない場合に、
前記制御部が、当該コンテンツ及び／又は識別情報を削除する請求項１０に記載の無線端末。
【請求項１５】
前記通信可能条件が、コンテンツの受信場所、コンテンツに設定された時間、伝搬した回数である請求項１４に記載の無線端末。
【請求項１６】
ユーザからコンテンツの選択情報を受け付ける入力部を備え、
前記コンテンツが前記選択情報に適合している場合にのみ、前記制御部が前記コンテンツを利用可能とする請求項１０に記載の無線端末。
【請求項１７】
前記選択情報が、コンテンツの数或はコンテンツの種別である請求項１６に記載の無線端末。
【請求項１８】
前記制御情報が、削除すべきコンテンツを示す削除情報である場合に、
前記制御部が、前記削除情報に示されたコンテンツを削除し、該削除情報を他の無線端末に送信する請求項１０に記載の無線端末。
【請求項１９】
無線端末間でのコンテンツ配信プログラムであって、
通信可能な無線端末を検出するステップと、
コンテンツを受信するステップと、
前記コンテンツに係る制御情報を受信するステップと、
前記制御情報に応じた制御を行うステップと
を無線端末に実行させるコンテンツ配信プログラム。
【請求項２０】
前記コンテンツの視聴結果を記録するステップを更に備え、
前記制御情報が、前記コンテンツの回収情報である場合、
前記制御情報に応じた制御を行うステップにおいて、前記前記視聴結果を前記回収情報に追加して他の無線端末又は所定の回収用端末に送信する請求項１９に記載のコンテンツ配信プログラム。
【請求項２１】
前記視聴結果を前記回収情報に追加した際に、この視聴結果の数が所定数未満であれば、前記回収情報を他の無線端末へ送信し、この視聴結果の数が所定数であれば、前記回収情報を所定の回収用端末に送信する請求項２０に記載のコンテンツ配信プログラム。
【請求項２２】
前記回収情報を前記回収用端末に送信した場合に、前記回収用端末からインセンティブ情報を受信する請求項２１に記載のコンテンツ配信プログラム。
【請求項２３】
前記制御情報が、通信可能条件の場合に、
前記制御情報に応じた制御を行うステップにおいて、前記受信時に前記通信可能条件を満たしていない場合、当該コンテンツ及び／又は識別情報を削除する請求項１９に記載のコンテンツ配信プログラム。
【請求項２４】
前記通信可能条件が、コンテンツの受信場所、コンテンツに設定された時間、伝搬した回数である請求項２３に記載のコンテンツ配信プログラム。
【請求項２５】
ユーザからコンテンツの選択情報を受け付けるステップを更に有し、
前記制御情報に応じて制御を行うステップにおいて、前記コンテンツが前記選択情報に適合している場合にのみ、前記コンテンツを利用可能とする請求項１９に記載のコンテンツ配信プログラム。
【請求項２６】
前記選択情報が、コンテンツの数或はコンテンツの種別である請求項２５に記載のコンテンツ配信プログラム。
【請求項２７】
複数の無線端末と、コンテンツ及び制御情報を該無線端末の一部に配信する配信用端末とを備え、
前記無線端末が
通信可能な無線端末を検出する検出部と、
コンテンツ及び該コンテンツに係る制御情報を受信する受信部と、
前記制御情報に応じた制御を行う制御部と、
前記制御部の制御により前記コンテンツ及び制御情報を送信する送信部と、
を備えたコンテンツ配信システム。
【発明の詳細な説明】
【技術分野】  本発明は、Ｂｌｕｅ−ｔｏｏｔｈ（登録商標）やＩＥＥＥ８０２．１１／８０２．１１ｂといった短距離無線技術などを用いて無線携帯端末にコンテンツを配信する技術に関する。
【背景技術】  無線技術の高速化により、携帯電話などの無線端末に対して音楽や映像などのコンテンツを比較的短時間で転送することが可能になってきている。実際に、それらのコンテンツを無線端末に配信するサービスが提供されている（特許文献１〜４）。
これに伴い、携帯電話などの無線端末が、宣伝媒体としても利用されるようになってきている。現在、携帯電話を使った宣伝には”モバイル広告”がある。これはインターネット接続可能な携帯電話へ電子メールにより文字・画像を広告として配信するものである。
また、図８のように、Ｐ２Ｐ（Ｐｅｅｒ  ｔｏ  Ｐｅｅｒ：クライアント同士が直接通信する、サーバ不要のネットワーク形態）型通信により、携帯端末間の通信でコンテンツ配信を実現するシステムにも注目が集まっている。
例えば電波を発信して近くにいる端末を検出し、動的に経路を設定しながら、データをリレーしていく通信方式も提案されている（非特許文献１）。
【特許文献１】          特開２００２−１６３１８２号公報
【特許文献２】          特開２００１−５２３０２５号公報
【特許文献３】          特開２０００−８３０２４号公報
【特許文献４】          特開２００１−５４８６２号公報
【非特許文献１】  Ｒｅｐｏｒｔｅｄ  ｂｙ  ｏｋａｄａ、２００２／４／１２、株式会社インプレス、ＩＮＴＥＲＮＥＴ  Ｗａｔｃｈ編集部、平成１５年１月２０日検索、インターネット
〈ｈｔｔｐ：／／ｗｗｗ．ｗａｔｃｈ．ｉｍｐｒｅｓｓ．ｃｏ．ｊｐ／ｉｎｔｅｒｎｅｔ／ｗｗｗ／ａｒｔｉｃｌｅ／２００２／０４１２／ｐ２ｐｃ３．ｈｔｍ〉
コンテンツ事業者が、携帯電話に広告用コンテンツを配信する、即ちモバイル広告を行う場合、データ量や配信する人数に応じて回線使用料を電話会社（回線事業者）に支払うことになる。従って、テキストや静止画のように比較的データ量が少ないコンテンツであればよいが、音楽や動画などを宣伝する場合、データ量が大きくなるため、膨大な配信コストを負担しなければならない。
その解決策として回線事業者が提供している通信回線を使用せずに前述のＰ２Ｐによって配信することが考えられる。
しかし、この場合には、配信の制御（宣伝する期間・場所・人数の制御）や配信結果（配信数・聴取率・評価）の収集を行うことができないという問題点がある。
また、コンテンツ事業者の意図しないコンテンツがＰ２Ｐネットワークに伝搬した場合に、その伝搬を止める手段を持たない。
さらに、「迷惑メールのように大量にいらないコンテンツが送られてくるのは困る」といった消費者の不安を解消する手段を持たない。
そこで本発明の目的は、無線端末間で通信を行う際に、コンテンツ中の制御情報に基づいた通信を行うことにより、コンテンツ提供側の意図を反映した通信を可能とすることである。
【発明の開示】
本発明は、上記目的を達成するために以下の構成を採用する。即ち、本発明は、
無線端末間でのコンテンツ配信方法であって、
通信可能な無線端末を検出するステップと、
コンテンツを受信するステップと、
前記コンテンツに係る制御情報を受信するステップと、
前記制御情報に応じた制御を行うステップと
を無線端末が実行する。
前記コンテンツ配信方法において、
前記コンテンツの視聴結果を記録するステップを更に備え、
前記制御情報が、前記コンテンツの回収情報である場合、
前記制御情報に応じた制御を行うステップにおいて、前記前記視聴結果を前記回収情報に追加して他の無線端末又は所定の回収用端末に送信しても良い。
また、前記コンテンツ配信方法において、
前記視聴結果を前記回収情報に追加した際に、この視聴結果の数が所定数未満であれば、前記回収情報を他の無線端末へ送信し、この視聴結果の数が所定数であれば、前記回収情報を所定の回収用端末に送信しても良い。
また、前記コンテンツ配信方法において、
前記回収情報を前記回収用端末に送信した場合に、前記回収用端末からインセンティブ情報を受信しても良い。
また、前記コンテンツ配信方法において、
前記制御情報が、通信可能条件の場合に、
前記制御情報に応じた制御を行うステップにおいて、前記受信時に通信可能条件を満たしていない場合、前記コンテンツ及び／又は識別情報を削除しても良い。
また、前記コンテンツ配信方法において、
前記通信可能条件が、受信場所、受信時間、伝搬した回数であっても良い。
また、前記コンテンツ配信方法において、
ユーザからコンテンツの選択情報を受け付けるステップを更に有し、
前記制御情報に応じて制御を行うステップにおいて、前記コンテンツが前記選択情報に適合している場合にのみ、前記コンテンツを利用可能としても良い。
また、前記コンテンツ配信方法において、
前記選択情報が、コンテンツの数或はコンテンツの種別であっても良い。
また、前記コンテンツ配信方法において、
前記制御情報が、削除すべきコンテンツを示す削除情報である場合に、
前記制御情報に応じて制御を行うステップにおいて、前記削除情報に示されたコンテンツを削除し、該削除情報を他の無線端末に送信しても良い。
また、本発明の無線端末は、
通信可能な無線端末を検出する検出部と、
コンテンツ及び該コンテンツに係る制御情報を受信する受信部と、
前記制御情報に応じた制御を行う制御部と、
前記制御部の制御により前記コンテンツ及び制御情報を送信する送信部と、
を備えた。
また、前記無線端末において、
前記コンテンツの視聴結果を記録する記憶部を備え、
前記制御情報が、前記コンテンツの回収情報である場合、
前記制御部が、前記記憶部に記憶されている視聴結果を前記回収情報に追加して他の無線端末又は所定の回収用端末に送信しても良い。
また、前記無線端末において、
前記制御部が、前記視聴結果を前記回収情報に追加した際に、この視聴結果の数が所定数未満であれば、前記回収情報を他の無線端末へ送信し、この視聴結果の数が所定数であれば、前記回収情報を所定の回収用端末に送信しても良い。
また、前記無線端末において、
前記回収情報を前記回収用端末に送信した場合に、前記回収用端末からインセンティブ情報を前記受信部で受信しても良い。
また、前記無線端末において、
前記制御情報が通信可能条件であり、前記受信時に前記通信可能条件を満たしていない場合に、
前記制御部が、当該コンテンツ及び／又は識別情報を削除しても良い。
また、前記無線端末において、
前記通信可能条件が、コンテンツの受信場所、コンテンツに設定された時間、伝搬した回数であっても良い。
また、前記無線端末において、
ユーザからコンテンツの選択情報を受け付ける入力部を備え、
前記コンテンツが前記選択情報に適合している場合にのみ、前記制御部が前記コンテンツを利用可能としても良い。
また、前記無線端末において、
前記選択情報が、コンテンツの数或はコンテンツの種別であっても良い。
また、前記無線端末において、
前記制御情報が、削除すべきコンテンツを示す削除情報である場合に、
前記制御部が、前記削除情報に示されたコンテンツを削除し、該削除情報を他の無線端末に送信しても良い。
本発明のコンテンツ配信プログラムは、
無線端末間でのコンテンツ配信プログラムであって、
通信可能な無線端末を検出するステップと、
コンテンツを受信するステップと、
前記コンテンツに係る制御情報を受信するステップと、
前記制御情報に応じた制御を行うステップと
を無線端末に実行させる。
また、前記コンテンツ配信プログラムにおいて、
前記コンテンツの視聴結果を記録するステップを更に備え、
前記制御情報が、前記コンテンツの回収情報である場合、
前記制御情報に応じた制御を行うステップにおいて、前記前記視聴結果を前記回収情報に追加して他の無線端末又は所定の回収用端末に送信しても良い。
また、前記コンテンツ配信プログラムにおいて、
前記視聴結果を前記回収情報に追加した際に、この視聴結果の数が所定数未満であれば、前記回収情報を他の無線端末へ送信し、この視聴結果の数が所定数であれば、前記回収情報を所定の回収用端末に送信しても良い。
また、前記コンテンツ配信プログラムにおいて、
前記回収情報を前記回収用端末に送信した場合に、前記回収用端末からインセンティブ情報を受信しても良い。
また、前記コンテンツ配信プログラムにおいて、
前記制御情報が、通信可能条件の場合に、
前記制御情報に応じた制御を行うステップにおいて、前記受信時に前記通信可能条件を満たしていない場合、当該コンテンツ及び／又は識別情報を削除しても良い。
また、前記コンテンツ配信プログラムにおいて、
前記通信可能条件が、コンテンツの受信場所、コンテンツに設定された時間、伝搬した回数であっても良い。
また、前記コンテンツ配信プログラムにおいて、
ユーザからコンテンツの選択情報を受け付けるステップを更に有し、
前記制御情報に応じて制御を行うステップにおいて、前記コンテンツが前記選択情報に適合している場合にのみ、前記コンテンツを利用可能としても良い。
また、前記コンテンツ配信プログラムにおいて、
前記選択情報が、コンテンツの数或はコンテンツの種別であっても良い。
そして、本発明のコンテンツ配信システムは、
複数の無線端末と、コンテンツ及び制御情報を該無線端末の一部に配信する配信用端末とを備え、
前記無線端末が
通信可能な無線端末を検出する検出部と、
コンテンツ及び該コンテンツに係る制御情報を受信する受信部と、
前記制御情報に応じた制御を行う制御部と、
前記制御部の制御により前記コンテンツ及び制御情報を送信する送信部と、
を備えた。
更に本発明は、無線端末（コンピュータ）に上記のコンテンツ配信の各ステップを行わせるコンテンツ配信プログラムを記録させた記録媒体であっても良い。この記録媒体のプログラムを無線端末に読み込ませて実行させることにより、その機能を提供させることができる。
《コンピュータ読み取り可能な記録媒体》
ここで、コンピュータ読み取り可能な記録媒体とは、データやプログラム等の情報を電気的、磁気的、光学的、機械的、または化学的作用によって蓄積し、コンピュータから読み取ることができる記録媒体をいう。このような記録媒体の内コンピュータから取り外し可能なものとしては、例えばフレキシブルディスク、光磁気ディスク、ＣＤ−ＲＯＭ、ＣＤ−Ｒ／Ｗ、ＤＶＤ、ＤＡＴ、８ｍｍテープ、メモリカード等がある。
また、コンピュータに固定された記録媒体としてハードディスクやＲＯＭ（リードオンリーメモリ）等がある。
以上のように本発明によれば、無線端末間で通信を行う際に、コンテンツ中の制御情報に基づいた通信を行うことことにより、コンテンツ提供側の意図を反映した通信を可能とするコンテンツ配信方法、無線端末、コンテンツ配信プログラム、コンテンツ配信システムを提供できる。
【図面の簡単な説明】図１  本発明の一実施形態を示すシステム構成図
図２  本実施形態の無線端末である携帯電話のブロック図
図３  制御情報の説明図
図４  本発明のコンテンツ配信方法の説明図
図５  コンテンツ削除手順の説明図
図６  視聴結果回収手順の説明図
図７  本発明の一実施形態における視聴済リスト例を示す図
図８  従来の配信システムの説明図
【発明を実施するための最良の形態】  以下、図面を参照して本発明の実施形態を説明する。実施形態の構成は例示であり、本発明は実施形態の構成に限定されない。
〈システム構成〉
図１は本発明の一実施形態を示すシステム構成図である。同図に示す本実施の形態は、広告依頼事業者と、インターネット等のネットワークで接続された広告配信事業者が備える配信用端末１及び回収用端末２と、コンテンツを受信する消費者が備える無線端末３から構成されている。
配信用端末１及び回収用端末２は、ＣＰＵやメモリ等からなる一般的なコンピュータである。該配信用端末１及び回収用端末２は、インターネット等の公衆回線或はＢｌｕｅ−ｔｏｏｔｈ等の近距離無線通信によって無線端末３との通信が可能となっている。
無線端末３は、配信用端末１及び回収用端末２との通信、そして他の無線端末とのＰ２Ｐの通信が情報処理端末であり、例えば携帯電話、ＰＤＡ、モバイルコンピュータ等である。
図２は、本実施形態の無線端末３である携帯電話のブロック図である。同図に示すように、携帯電話３は、通信部３１、スピーカ３２、入力部３３、マイク３４、ＧＰＳ３５、タイマー３６、制御部３７、表示部３８、記憶部３９、近距離無線通信部４０を備えている。
通信部３１は、無線電話回線を介して通話やデータ通信を行う。スピーカ３２は、通話時の音声の出力や、コンテンツ再生時の音楽の出力等を行う。入力部３３は、電話番号を入力するための数字キーや各種機能を選択するための選択キーなどを有している。マイク３４は、通話時に音声を入力する。ＧＰＳ３５は、衛星からの電波を受信して現在位置を求めている。タイマー３６は、現在の日時を求める。制御部３７は、通信の制御や、制御情報に応じた制御を行う。
表示部３８は、コンテンツとしての動画や静止画の表示を行う。記憶部３９は、電話番号やメールアドレス、視聴結果、コンテンツ、ソフトウェア（コンテンツ配信プログラム）、ＩＤ（機体番号等の固有の情報）、選択情報などを記憶する。近距離通信部４０は、Ｂｌｕｅ−ｔｏｏｔｈによって他の無線端末３とＰ２Ｐ通信を行う。該近距離通信部４０は、検出部４１、受信部４２、送信部４３を有している。検出部４１は、通信可能な範囲から本システムのコンテンツ配信が可能な無線端末３を検出する。受信部４２は、他の無線端末からコンテンツ及び該コンテンツに係る制御情報を受信する。送信部４３は、前記制御部３７の制御により前記コンテンツ及び制御情報を送信する。
本実施形態において、コンテンツは、テキストや静止画、動画、音楽、プログラム等である。携帯電話３は、このコンテンツを受信し、記憶部３９に記憶する。この記憶部３９のユーザ領域に記憶されたコンテンツがユーザの選択対象となり、選択して再生（利用）が可能となる。即ちユーザが入力部３３から再生を指示すると、携帯電話３は、制御部３７によりこの指示されたコンテンツの再生を実行し、スピーカ３２や表示部３８から音楽や動画の出力を行う。
また、ユーザは、受信を希望するジャンルを示す識別子や受信を許可するコンテンツ数を選択情報として入力部３３から入力して、記憶部３９に記憶させておく。
なお、コンテンツには、図３のように制御情報が付加されている。
この制御情報は、図３（ａ）に示すように、受信可能な日付を示す日付情報（日時でも良い）、受信可能な場所を示す位置情報、配信可能な回数を示すコピー上限数、現在のコピー数（配信数）といった通信可能条件を有し、更に制御情報は、図３（ｂ）に示すように、コンテンツ毎に固有の識別子や、コンテンツの種別を示すジャンル識別子を有している。
〈配信方法〉
次に図４〜図７を参照して本実施形態におけるコンテンツの配信方法を説明する。
１．準備
先ず、広告依頼事業者はネットワーク経由で、広告配信事業者に登録を行い、その後コンテンツのデータを登録する。
また、広告配信事業者は、消費者には、本サービス用のソフトウェア（コンテンツ配信プログラム）を無償で配布する。消費者（ユーザ）は、本サービスを利用する契約の上、このソフトウェアを前述のように携帯電話３にインストールしておく。
広告配信事業者は、配信するコンテンツ及び制御情報をソフトウェアがインストールされた社員又はアルバイトの携帯電話３に記録する。また、駅やホットスポットなどに設置された配信用端末１にインターネット経由で登録する。
２．コンテンツの配信
携帯電話３は、起動されると記憶部３９にインストールされたソフトウェアを読み出して実行し、図４の如くコンテンツの配信を行う。
先ず、携帯電話３は、検出部４１により常に通信可能範囲を監視し、通信可能な携帯電話３を検出する（ステップ１、以下Ｓ１のように略記する）。
そして携帯電話３は、同じソフトウェアがインストールされた携帯電話３を検出すると、コンテンツ及び制御情報の送受信を行う（Ｓ２）。このとき送受信の順番としては、記憶部３９に記憶したＩＤを用い、大きいほうから小さいほうへ先に送信するように決定される。送信側となった携帯電話３は、後述のように記憶部３９に記憶している送信用のコンテンツ及び制御情報を受信側の携帯電話３に送信する。一方向の転送が終了した後、２台の携帯電話３がまだ通信可能な距離にいる場合、続けて逆方向の転送を試みる。ファイルサイズが１Ｍ〜２Ｍｂｙｔｅ程度の場合、次世代規格のＢｌｕｅｔｏｏｔｈ２．０（最大速度１０Ｍｂｐｓ）を用いた場合、０．８〜１．６秒で転送可能であることから、電車／バスや飲食店などのホットスポットはもちろん、街中のすれ違いの際にも転送が見込まれる。
次に携帯電話３は、受信したコンテンツが通信可能条件を満たしているか否かを判定する（Ｓ３）。具体的には、制御情報から図３（ａ）に示す日付情報を読み出してタイマー３６から得た現在の日付と比較し、現在の日付が通信可能条件の日付を越えていなければ、該条件を満たしていると判定し、超えていれば該条件を満たしていないとして当該コンテンツ及び識別情報を削除する（Ｓ９）。
また、制御情報から図３（ａ）に示す位置情報を読み出してＧＰＳ３５から得た現在の場所と比較し、現在の場所が通信可能条件の位置（経度が１３８．４〜１３９．１、緯度が６７．８〜６８．２）を越えていなければ、該条件を満たしていると判定し、超えていれば該条件を満たしていないとして当該コンテンツ及び識別情報を削除する（Ｓ９）。
次に携帯電話３は、前記コンテンツが前記選択情報に適合しているか否かを判定する（Ｓ４）。即ち携帯電話３は、識別情報から図３（ｂ）に示すジャンル識別子を読み出して記憶部３９に記憶されている選択情報と比較し、識別子が一致しなければ、当該コンテンツをユーザ領域に記憶せずに、即ち利用可能とせずに、送信用のデータとして該コンテンツ及び識別情報を記憶部３９に記憶し（Ｓ１０）、次の送受信時に他の携帯電話に送信する（Ｓ２）。
また、携帯電話３は、受信したコンテンツが携帯電話に蓄積可能か否かを判定する（Ｓ５）。例えば、既に記憶部３９のユーザ領域に記憶されているコンテンツ数を選択情報のコンテンツの数と比較し、ユーザ領域に記憶されているコンテンツ数が選択情報のコンテンツの数に達していれば、該コンテンツをユーザ領域に蓄積せずに、送信用のデータとして該コンテンツ及び識別情報を記憶部３９に記憶し（Ｓ１０）、次の送受信時に他の携帯電話に送信する（Ｓ２）。一方、ユーザ領域に記憶されているコンテンツ数が選択情報のコンテンツの数に達していなければ、当該コンテンツを記憶部３９のユーザ領域に記憶する（Ｓ６）。
このユーザ領域への記憶を行った場合、携帯電話３は、制御情報の現在のコピー回数をインクリメントする（Ｓ７）。
そして、現在のコピー回数とコピー上限数とを比較し（Ｓ８）、現在のコピー回数がコピー上限数に達していれば、当該コンテンツ及び識別情報を削除し（Ｓ９）、現在のコピー回数がコピー上限数未満であれば当該コンテンツデータ及び識別情報を記憶部３９に送信用データとして記憶し（Ｓ１０）、次の送受信時に他の携帯電話に送信する（Ｓ２）。従って広告配信事業者が図３（ｂ）に示すように設定回数を１００とした場合、この設定回数になるまで配信され、１００回配信された時点でコンテンツが削除され、それ以上伝播されることがない。
３．コンテンツの削除
また、本実施形態では、コンテンツを省略し、制御情報だけを伝播させることもできる。例えば、削除用の制御情報（削除エージェント）を伝播させることで特定のコンテンツを削除することが可能である。なお削除エージェントには、削除エージェントであることを示す識別子や、図３（ａ）に示す通信可能条件が記録されている。
図５に示すように携帯電話３は、前述の図４と同様にコンテンツの送受信を行って（Ｓ１，Ｓ２）、通信可能条件を判定し（Ｓ３）、該通信可能条件を満たしていなければ、制御情報（削除エージェント）を削除し（Ｓ９）、該条件を満たしていれば、この削除エージェントに基づいた制御を行う。即ち制御部３７は、前記識別子によってこの制御情報が削除エージェントであると識別し、この削除エージェントに含まれた削除対象のコンテンツの識別子を参照して、一致するコンテンツを記憶部３９から検索する（Ｓ１１）。ここで一致するコンテンツがなければ、制御部３７は、この削除用エージェントを送信用のデータとして記憶部に記憶し（Ｓ１０）、次の送受信時に他の携帯電話３に送信する（Ｓ２）。また、制御部３７は、一致するコンテンツがあれば、このコンテンツを削除する（Ｓ１２）。
そして制御部３７は、この削除エージェントを送信用のデータとして記憶部に記憶し（Ｓ１０）、次の送受信時に他の携帯電話３に送信する（Ｓ２）。
これにより、万が一、広告配信事業者以外の第三者が本システムに不法コンテンツを伝搬させてしまった場合でも、削除用の制御情報（削除エージェント）を伝播させることで不法なコンテンツを削除することが可能である。
４．視聴結果の回収
また、本実施形態では、情報回収用の制御情報（回収エージェント）を配信することにより、コンテンツの視聴状況を得ることができる。
なお、携帯電話３は、音楽や動画などのコンテンツを最後まで再生した場合に消費者が最後まで視聴したものと判定し、そのコンテンツの一意な識別子を視聴結果として記憶部３９の視聴済みリストに記憶する。このとき、この視聴結果としてコンテンツの評価を実施する際には、その評価も記録しても良い。例えば、コンテンツを最後まで再生したときに、携帯電話３は、「このコンテンツを５段階で評価してください。」のように表示部３８に表示して評価の入力を促し、ユーザが入力部３３から評価を入力すると、これを図６に示すように、当該コンテンツの一意な識別子と評価を対応付けてリスト状に記憶する。
次にこの視聴結果を回収エージェントで回収する手順について図７を参照して説明する。なお回収エージェントには、回収エージェントであることを示す識別子や、図３（ａ）に示す通信可能条件が記録されている。
携帯電話３は、前述の図４と同様にコンテンツの送受信を行って（Ｓ１，Ｓ２）、通信可能条件を判定し（Ｓ３）、該条件を満たしていれば、この回収エージェントに基づいた制御を行う。即ち制御部３７が、前記識別子によって回収エージェントであると判定し、視聴済みリストに視聴結果があるか否かを判定する（Ｓ２１）。制御部３７は、視聴結果がなければ回収エージェントへの書き込みを行わずに送信用のデータとして該回収エージェントを記憶部３９に記憶する（Ｓ１０）。
また、該視聴結果があれば、制御部３７は、この視聴結果を回収エージェントに書き込む（Ｓ２２）。
次に制御部３７は、広告配信事業者が設定した人数分の視聴結果を回収エージェントに書き込んだか否かを判定する（Ｓ２３）。この設定した人数に達していなければ、この回収エージェントを送信用データとして記憶部３９へ記憶する。
この設定した人数に達していれば、制御部３７は、当選した旨を表示部３８に表示し、回収用端末２に接続するようにユーザへ促す（Ｓ２４）。
これに応じユーザが、携帯電話３を操作し、無線電話回線を介して回収用端末２に接続する。制御部３７は、この回収用端末２に接続を行ったか否かを判定し（Ｓ２５）、接続した場合には、前記視聴結果を回収用端末２へ送信し（Ｓ２６）、回収エージェントを削除する（Ｓ２７）。そして回収用端末２が、視聴結果を得た代わりにインセンティブ情報を携帯電話３に送信し、携帯電話３はこれを受信する。
一方、ステップ２５で、回収用端末２に所定時間以上接続しなかった場合や、ユーザが接続しない旨の入力を行った場合、制御部３７は、視聴結果の送信を行わずに、回収エージェントを送信データとして記録部３９に記録する（Ｓ１０）。この送信データとして記録された回収エージェントは、次の送受信時に他の携帯電話３に送信する（Ｓ２）。また、ステップ３で、通信可能条件を満たしていない場合、回収エージェントを回収用端末に送信する（Ｓ２８）。
このように視聴結果を回収するためには、特定の端末（回収用端末２）に接続する必要があるため、無線電話回線を使用し、使用者が回線使用料を負担する代わりにインセンティブ情報を携帯電話３に送信している。このインセンティブ情報は、画像や動画、音楽のデータや、商品と交換可能なポイント、電子マネーなど、ユーザにとって価値のある情報であればよい。
以上のように本実施形態によれば、Ｐ２Ｐ型コンテンツ配信システムにおいて、配信結果の収集がコストを抑えつつ可能となり、従来は無かった宣伝に必要な機能がそろい、効果的な宣伝が実施可能となる。またコンテンツの配信を場所・時間（期間）・伝播回数により制御することができるので、特定の消費者に向けて、効率的に宣伝を行うことができるという効果を有する。さらに、受信するコンテンツの数や種別を制限可能とすることで、消費者の不安を解消でき、コンテンツ配信事業者の意図しないコンテンツがＰ２Ｐネットワークに伝搬した場合に、削除エージェント機能により、それらを排除することができる。
【図１】
2004066178.tif 000003
【図２】
2004066178.tif 000004
【図３】
2004066178.tif 000005
【図４】
2004066178.tif 000006
【図５】
2004066178.tif 000007
【図６】
2004066178.tif 000008
【図７】
2004066178.tif 000009
【図８】
2004066178.tif 000010
【国際調査報告】
2004066178.tif 000011
2004066178.tif 000012
2004066178.tif 000013
2004066178.tif 000014
2004066178.tif 000015
2004066178.tif 000016